(57)【要約】【課題】基材上に表示されたドットコードによって識別される識別体において、基材上の印刷形態によらずにドットコードを認識させる。【解決手段】紙基材１０上に表示されたドットコード２５によって識別されるパッケージ１において、紙基材１０上にバーコード２０が表示され、ドットコード２５が、バーコード２０のクワイエットゾーン２２に赤外線吸収物質となるカーボン入りのインクを用いて表示されている。【選択図】図１
2018190327.tif 000002
【特許請求の範囲】
【請求項１】
基材上に表示されたドットコードによって識別される識別体であって、
前記基材上にバーコードが表示され、
前記ドットコードは、前記バーコードのクワイエットゾーンに赤外線吸収物質または赤外線反射物質を用いて表示されている、識別体。
【請求項２】
請求項１に記載の識別体において、
前記バーコードは、前記クワイエットゾーンを含む白色領域に複数のバーが配列されてなり、
前記ドットコードは、前記白色領域の全面に表示されている、識別体。
【発明の詳細な説明】
【技術分野】
【０００１】
本発明は、基材上に表示されたドットコードによって識別される識別体に関する。
【背景技術】
【０００２】
商品を識別するための１つの手段として、従来からバーコードが用いられている。バーコードを用いて商品を管理する場合、商品の種類毎に一律のバーコードを商品やそのパッケージに印刷し、そのバーコードと商品情報とを対応付けておくことで、バーコードを読み取った際に商品を識別することができる。
【０００３】
また、近年においては、ドットパターンからなるドットコードが利用されている（例えば、特許文献１参照）。ドットコードは、コード情報を複数のドットからなるパターンで表現したものであるため、バーコードと比べて多くのコード情報を表現することができる。そのため、商品の種類に限らずに同一の種類の商品であっても商品毎に異なるドットコードを付与することで、商品の品質管理用のコードとして利用することができる。
【先行技術文献】
【特許文献】
【０００４】
【特許文献１】特開２０１７−６４４４９号公報
【発明の概要】
【発明が解決しようとする課題】
【０００５】
上述したようなドットコードは、商品やそのパッケージ等の基材上にカーボン入りインク等の赤外線吸収物質を用いて印刷され、赤外線を照射してその撮像画像を用いて認識されることになる。しかしながら、基材上には、商品に応じて様々な印刷が施されているため、その印刷がカーボン入りインク等の赤外線吸収物質を用いて施されている場合、ドットコードを認識することができなくなってしまうという問題点がある。
【０００６】
本発明は、上述したような従来の技術が有する問題点に鑑みてなされたものであって、基材上に表示されたドットコードによって識別される識別体において、基材上の印刷形態によらずにドットコードを認識させることができる識別体を提供することを目的とする。
【課題を解決するための手段】
【０００７】
上記目的を達成するために本発明は、
基材上に表示されたドットコードによって識別される識別体であって、
前記基材上にバーコードが表示され、
前記ドットコードは、前記バーコードのクワイエットゾーンに赤外線吸収物質または赤外線反射物質を用いて表示されている。
【０００８】
上記のように構成された本発明においては、ドットコードが表示された基材上にバーコードが表示されており、ドットコードが、バーコードのクワイエットゾーンに赤外線吸収物質または赤外線反射物質を用いて表示されているが、クワイエットゾーンは、バーコードを構成する複数のバーの並びがバーコードであることを識別させるために、印刷が施されていない余白部分となっているので、基材上に施された他の印刷がドットコードの読み取りを阻害することがなく、表示されたドットコードを読み取って認識することができる。
【０００９】
また、バーコードが、クワイエットゾーンを含む白色領域に複数のバーが配列されてなり、ドットコードが、白色領域の全面に表示されていれば、ドットコードを表示することで美観が損なわれることがない。
【発明の効果】
【００１０】
本発明によれば、ドットコードが表示されたクワイエットゾーンは、バーコードを構成する複数のバーの並びがバーコードであることを識別させるために、印刷が施されていない余白部分となっているため、表示されたドットコードが読み取ることができなくなってしまうことがなく、それにより、基材上の印刷形態によらずにドットコードを認識させることができる。
【００１１】
また、バーコードが、クワイエットゾーンを含む白色領域に複数のバーが配列されてなり、ドットコードが、白色領域の全面に表示されているものにおいては、ドットコードを表示することで美観が損なわれることを回避できる。
【図面の簡単な説明】
【００１２】
【図１】本発明の識別体の第１の実施の形態を示す図であり、（ａ）は外観斜視図、（ｂ）は（ａ）に示したバーコードが表示された領域の詳細な構成を示す図である。
【図２】図１に示したパッケージの識別方法を説明するための図である。
【図３】本発明の識別体の第２の実施の形態を示す図であり、（ａ）は外観斜視図、（ｂ）は（ａ）に示したバーコードが表示された領域の詳細な構成を示す図である。
【図４】本発明の識別体の第３の実施の形態を示す図であり、（ａ）は外観斜視図、（ｂ）は（ａ）に示したバーコードラベルの詳細な構成を示す図である。
【発明を実施するための形態】
【００１３】
以下に、本発明の実施の形態について図面を参照して説明する。
【００１４】
（第１の実施の形態）
図１は、本発明の識別体の第１の実施の形態を示す図であり、（ａ）は外観斜視図、（ｂ）は（ａ）に示したバーコード２０が表示された領域の詳細な構成を示す図である。
【００１５】
本形態は図１に示すように、紙基材１０が折り畳まれて構成された箱体の１つの側面にバーコード２０が表示されて構成されたパッケージ１である。
【００１６】
紙基材１０は、バーコード２０が表示された領域を除く全面にカーボン入りインクを用いた模様印刷１１が施されている。
【００１７】
バーコード２０は、模様印刷１１が施されていない白色領域２４に、パッケージ１に収容される商品の種類に応じて付与された商品ＩＤを表現するためのバーコードシンボル部２１と、このバーコードシンボル部２１の両側に配置されたクワイエットゾーン２２とが設けられて構成されている。
【００１８】
バーコードシンボル部２１は、複数のバー２３が、バーコード２０によって表現する商品ＩＤに応じた幅及び間隔を有して幅方向に並んで構成されている。
【００１９】
クワイエットゾーン２２は、バー２３の並びがバーコード２０であることを識別するためにバーコード２０には必須のものであり、バーコードシンボル部２１のバー２３の並び方向外側に決められた幅を有してバーコード２０の余白部分として配置されている。クワイエットゾーン２２には、模様印刷１１やバー２３の印刷は施されていないものの、赤外線吸収物質となるカーボン入りのインクを用いてドットコード２５が表示されている。
【００２０】
ドットコード２５は、格子の縦線と横線との交点を基準位置とし、その基準位置から上下左右にシフトしたドットの集まりによって情報を表現するものであって、パッケージ１に収容される商品の１つ１つに個別に付与された品質管理用の個別ＩＤが表現されている。ドットコード２５としては、例えば、グリッドマーク社製の既知のものを用いることが考えられる。
【００２１】
上記のように構成されたパッケージ１を製造する場合は、まず、紙基材１０に模様印刷１１を施すとともに、パッケージ１に収容される商品の種類毎に付与された商品ＩＤに応じた幅及び間隔で複数のバー２３を印刷することでバーコード２０を形成する。その後、バーコード２０のクワイエットゾーン２２に、パッケージ１に収容される商品の１つ１つに個別に付与された品質管理用の個別ＩＤが表現されたドットコード２５を印刷することになる。このような製造方法とすることで、例えば、模様印刷１１が施されるとともにバーコード２０が形成されたパッケージ１を製造しておき、その後、商品の出荷時に、品質管理を行うことを目的として、パッケージ１に収容される商品の１つ１つに個別に付与された個別ＩＤが表現されたドットコード２５を印刷することができる。
【００２２】
以下に、上記のように構成されたパッケージ１に収容された商品の識別方法について説明する。
【００２３】
図２は、図１に示したパッケージ１に収容された商品の識別方法を説明するための図である。
【００２４】
図１に示したパッケージ１に収容された商品の種類を識別する場合は、パッケージ１に形成されたバーコード２０をバーコードリーダーで読み取ることで、バーコード２０で表現された商品ＩＤを認識し、この商品ＩＤによって商品の種類を認識することができる。この際、パッケージ１には、模様印刷１１が施されているものの、バーコード２０には、商品ＩＤを表現する複数のバー２３が並んでなるバーコードシンボル部２１の両側にクワイエットゾーン２２が配置されていることで、バー２３の並びがバーコード２０であることが識別され、商品ＩＤを認識することができる。また、バー２３を認識することでバーコード２０として表現された商品ＩＤが認識されるため、バー２３にドットコード２５が重なって表示されていたとしても、バーコード２０が読み取られる際は、ドットコード２５が無視され、ドットコード２５がバーコード２０の読み取りの阻害となることはない。
【００２５】
また、図１に示したパッケージ１に収容された商品の１つ１つに個別に付与された品質管理用の個別ＩＤを識別する場合は、図２に示すように、スキャナ２の先端をバーコード２０のクワイエットゾーン２２に表示されたドットコード２５に当てる。なお、スキャナ２としては、グリッドマーク社製のＧＳ−１５０２０を用いることができるが、その他の製品でも構わない。
【００２６】
すると、スキャナ２の先端からクワイエットゾーン２２の読み取り領域２ａに赤外線が照射され、その反射光がスキャナ２にて撮像される。ドットコード２５は、赤外線吸収物質となるカーボン入りのインクを用いて表示されているため、スキャナ２から照射された赤外線が吸収され、スキャナ２にて撮像された画像ではドットの部分のみが黒く撮影された状態となる。そして、スキャナ２にて黒く撮影されたドットバターンが認識されることで、ドットコード２５が読み取られ、パッケージ１に収容された商品の１つ１つに個別に付与された品質管理用の個別ＩＤが認識されることになる。この際、パッケージ１には、模様印刷１１が施されているものの、ドットコード２５は、模様印刷１１やバー２３の印刷が施されておらずにバーコード２０の余白部分となったクワイエットゾーン２２に表示されているため、ドットコード２５が読み取られ、ドットコード２５によって表現された個別ＩＤを認識することができる。
【００２７】
このように本形態においては、ドットコード２５が表示された紙基材１０上にバーコード２０が表示されており、ドットコード２５が、バーコード２０のクワイエットゾーン２２に赤外線吸収物質を用いて表示されているが、クワイエットゾーン２２は、バーコード２０を構成する複数のバー２３の並びがバーコード２０であることを識別させるために、印刷が施されていない余白部分となっているので、紙基材１０上に施された模様印刷１１がドットコード２５の読み取りを阻害することがなく、表示されたドットコード２５を読み取り、品質管理用の個別ＩＤを認識することができる。
【００２８】
なお、本形態においては、ドットコード２５が赤外線吸収物質となるカーボン入りのインクを用いて表示されているが、ドットコード２５を赤外線反射物質からなるインクを用いて表示した場合でも、紙基材１０に照射された赤外線の反射を検出することで、上記同様に、ドットコード２５を読み取って品質管理用の個別ＩＤを認識することができる。
【００２９】
また、上述したクワイエットゾーンは、バーコードのみならず二次元コードにおいても必須のものであるため、二次元コードのクワイエットゾーンにドットコードを表示してもよい。
【００３０】
（第２の実施の形態）
図３は、本発明の識別体の第２の実施の形態を示す図であり、（ａ）は外観斜視図、（ｂ）は（ａ）に示したバーコード１２０が表示された領域の詳細な構成を示す図である。
【００３１】
本形態は図３に示すように、図１に示したものに対して、バーコード１２０のクワイエットゾーン２２を含む白色領域２４の全面にドットコード１２５が表示されている点が異なるパッケージ１０１である。
【００３２】
上記のように構成されたパッケージ１０１においては、第１の実施の形態に示したものと同様にしてドットコード１２５を読み取って個別ＩＤを認識することができるが、ドットコード１２５が、クワイエットゾーン２２のみならず、クワイエットゾーン２２を含む白色領域２４の全面に表示されていることで、パッケージ１０１としての美観が損なわれることがない。
【００３３】
（第３の実施の形態）
図４は、本発明の識別体の第３の実施の形態を示す図であり、（ａ）は外観斜視図、（ｂ）は（ａ）に示したバーコードラベル２２０の詳細な構成を示す図である。
【００３４】
本形態は図４に示すように、図１に示したものに対して、バーコード２０が紙基材１０に形成されているのではなく、ラベル基材２２６上にバーコードが表示されてなるバーコードラベル２２０が紙基材１０に貼着されている点が異なるパッケージ２０１である。そして、ラベル基材２２６に表示されたバーコードのクワイエットゾーン２２にドットコード２５が表示されている。
【００３５】
上記のように構成されたパッケージ２０１においても、ドットコード２５が、バーコードのクワイエットゾーン２２に表示されていることにより、第１の実施の形態に示したものと同様にしてドットコード２５を読み取って個別ＩＤを認識することができる。
【符号の説明】
【００３６】
１，１０１，２０１    パッケージ
２    スキャナ
２ａ    読み取り領域
１０    紙基材
１１    模様印刷
２０    バーコード
２１    バーコードシンボル部
２２    クワイエットゾーン
２３    バー
２４    白色領域
２５，１２５    ドットコード
２２０    バーコードラベル
２２６    ラベル基材
【図１】
2018190327.tif 000003
【図２】
2018190327.tif 000004
【図３】
2018190327.tif 000005
【図４】
2018190327.tif 000006